【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
無線通信プロトコルに従う送信用の物理層データユニット（ＰＨＹデータユニット）を生成する方法であって、前記無線通信プロトコルは、第１ＰＨＹモードと第２ＰＨＹモードとを有し、前記方法は、
第１クロックレートに従って前記ＰＨＹデータユニットの第１プリアンブル部を生成する段階であって、前記第１プリアンブル部は、レガシ部および高効率ＷＬＡＮ信号（ＨＥＷ−ＳＩＧＡ）フィールドを含み、前記レガシ部は、レガシ・ショート・トレーニング・フィールド（Ｌ−ＳＴＦ）、レガシ・ロング・トレーニング・フィールド（Ｌ−ＬＴＦ）、およびレガシ信号（Ｌ−ＳＩＧ）フィールドを含み、前記第１プリアンブル部は、前記ＰＨＹデータユニットの第２プリアンブル部およびデータ部が第１クロックレートおよび前記第１クロックレートより低い第２クロックレートのいずれでクロックされるかを示すようにフォーマットされる、段階と、
前記ＰＨＹデータユニットの前記第２プリアンブル部および前記データ部を生成する段階であって、前記第２プリアンブル部および前記データ部は、前記第１プリアンブル部に続き、前記第２プリアンブル部は、１つ又は複数の高効率ＷＬＡＮロング・トレーニング・フィールド（ＨＥＷ−ＬＴＦ）を含み、前記第２プリアンブル部および前記データ部は、前記ＰＨＹデータユニットが前記第１ＰＨＹモードに従って送信される場合に、前記第１クロックレートでクロックされ、前記ＰＨＹデータユニットが前記第２ＰＨＹモードに従って送信される場合に、前記第１クロックレートより低い前記第２クロックレートでクロックされる、段階と
を備える
方法。
【請求項２】
前記第１プリアンブル部を生成する段階は、前記ＰＨＹデータユニットが前記第１ＰＨＹモード又は前記第２ＰＨＹモードに従って生成されるかを示す前記第１プリアンブル部におけるパイロットトーンのセットを生成する段階を含む、請求項１に記載の方法。
【請求項３】
前記ＰＨＹデータユニットが前記第２ＰＨＹモードに従って送信される場合に、前記第１ＰＨＹモードと比較して、前記パイロットトーンのセットにおける少なくともいくつかのパイロットトーンの複数の信号が、フリップされる、請求項２に記載の方法。
【請求項４】
前記第１プリアンブル部を生成する段階は、前記ＰＨＹデータユニットが前記第１ＰＨＹモード又は前記第２ＰＨＹモードに従って生成されるかを示す情報を含むフィールドを有する前記第１プリアンブル部を生成する段階を含む、請求項１から３の何れか一項に記載の方法。
【請求項５】
前記ＰＨＹデータユニットが前記第１ＰＨＹモード又は前記第２ＰＨＹモードに従って生成されるかを示す情報を含む前記フィールドは、１）前記第１プリアンブル部におけるレガシ部の後に、かつ、２）前記第１プリアンブル部におけるショート・トレーニング・フィールドの前に生じる信号フィールドである、請求項４に記載の方法。
【請求項６】
前記第２クロックレートは、前記第１クロックレートの分数である、請求項１から５のいずれか一項に記載の方法。
【請求項７】
前記第２クロックレートは、前記第１クロックレートの１／２、１／４、１／１０、または１／１６である、請求項６に記載の方法。
【請求項８】
前記第２プリアンブル部および前記データ部が生成され、これにより、前記ＰＨＹデータユニットが前記第１ＰＨＹモードに従って送信される場合に、前記第２プリアンブル部および前記データ部における複数のＯＦＤＭシンボルが第１持続時間を有し、前記ＰＨＹデータユニットが前記第２ＰＨＹモードに従って送信される場合に、前記第２プリアンブル部および前記データ部における複数のＯＦＤＭシンボルが第２持続時間を有し、前記第２持続時間は、前記第１持続時間と異なる、請求項１から７の何れか一項に記載の方法。
【請求項９】
前記第２持続時間は、前記第１持続時間より長い、請求項８に記載の方法。
【請求項１０】
前記第２プリアンブル部および前記データ部が生成され、これにより、前記ＰＨＹデータユニットが前記第１ＰＨＹモードに従って送信される場合に、前記第２プリアンブル部および前記データ部における複数のＯＦＤＭシンボルが第１トーンインターバルを有し、前記ＰＨＹデータユニットが前記第２ＰＨＹモードに従って送信される場合に、前記第２プリアンブル部および前記データ部における複数のＯＦＤＭシンボルが第２トーンインターバルを有し、前記第２トーンインターバルは、前記第１トーンインターバルと異なる、請求項１から９の何れか一項に記載の方法。
【請求項１１】
前記第２トーンインターバルは、前記第１トーンインターバルより小さい、請求項１０に記載の方法。
【請求項１２】
１つ又は複数の集積回路を有するネットワークインタフェースを備える通信デバイスであって、
前記１つ又は複数の集積回路は、
第１クロックレートに従って、第１ＰＨＹモードと第２ＰＨＹモードとを有する無線通信プロトコルに従う送信用の物理層データユニット（ＰＨＹデータユニット）の第１プリアンブル部を生成し、
前記ＰＨＹデータユニットの第２プリアンブル部およびデータ部を生成し、
前記第１プリアンブル部は、レガシ部および高効率ＷＬＡＮ信号（ＨＥＷ−ＳＩＧＡ）フィールドを含み、
前記第１プリアンブル部は、前記ＰＨＹデータユニットの前記第２プリアンブル部および前記データ部が第１クロックレートおよび前記第１クロックレートより低い第２クロックレートのいずれでクロックされるかを示すようにフォーマットされ、
前記第２プリアンブル部および前記データ部は、前記第１プリアンブル部に続き、
前記第２プリアンブル部は、１つ又は複数の高効率ＷＬＡＮロング・トレーニング・フィールド（ＨＥＷ−ＬＴＦ）を含み、
前記第２プリアンブル部および前記データ部は、前記ＰＨＹデータユニットが、前記第１ＰＨＹモードに従って送信される場合に、前記第１クロックレートでクロックされ、
前記第２プリアンブル部および前記データ部は、前記ＰＨＹデータユニットが前記第２ＰＨＹモードに従って送信される場合に、前記第１クロックレートより低い前記第２クロックレートでクロックされる、
通信デバイス。
【請求項１３】
前記１つ又は複数の集積回路は、前記ＰＨＹデータユニットが前記第１ＰＨＹモード又は前記第２ＰＨＹモードに従って生成されるかを示す、前記第１プリアンブル部におけるパイロットトーンのセットを生成する、請求項１２に記載の通信デバイス。
【請求項１４】
前記ＰＨＹデータユニットが前記第２ＰＨＹモードに従って送信される場合に、前記第１ＰＨＹモードと比較して、前記パイロットトーンのセットにおける少なくともいくつかのパイロットトーンの複数の信号が、フリップされる、請求項１３に記載の通信デバイス。
【請求項１５】
前記１つ又は複数の集積回路は、前記ＰＨＹデータユニットが前記第１ＰＨＹモード又は前記第２ＰＨＹモードに従って生成されるかを示す情報を含むフィールドを有する前記第１プリアンブル部を生成する、請求項１２から１４の何れか一項に記載の通信デバイス。
【請求項１６】
前記ＰＨＹデータユニットが前記第１ＰＨＹモード又は前記第２ＰＨＹモードに従って生成されるかを示す情報を含む前記フィールドは、１）前記第１プリアンブル部におけるレガシ部の後に、かつ、２）前記第１プリアンブル部におけるショート・トレーニング・フィールドの前に生じる信号フィールドである、請求項１５に記載の通信デバイス。
【請求項１７】
前記第２クロックレートは、前記第１クロックレートの分数である、請求項１２から１６のいずれか一項に記載の通信デバイス。
【請求項１８】
前記第２クロックレートは、前記第１クロックレートの１／２、１／４、１／１０、または１／１６である、請求項１７に記載の通信デバイス。
【請求項１９】
前記１つ又は複数の集積回路は、前記第２プリアンブル部および前記データ部を生成し、これにより、前記ＰＨＹデータユニットが前記第１ＰＨＹモードに従って送信される場合に、前記第２プリアンブル部および前記データ部における複数のＯＦＤＭシンボルが第１持続時間を有し、前記ＰＨＹデータユニットが前記第２ＰＨＹモードに従って送信される場合に、前記第２プリアンブル部および前記データ部における複数のＯＦＤＭシンボルが第２持続時間を有し、前記第２持続時間は、前記第１持続時間と異なる、請求項１２から１８の何れか一項に記載の通信デバイス。
【請求項２０】
前記第２持続時間は、前記第１持続時間より長い、請求項１９に記載の通信デバイス。
【請求項２１】
前記１つ又は複数の集積回路は、前記第２プリアンブル部および前記データ部を生成し、これにより、前記ＰＨＹデータユニットが前記第１ＰＨＹモードに従って送信される場合に、前記第２プリアンブル部および前記データ部における複数のＯＦＤＭシンボルが第１トーンインターバルを有し、前記ＰＨＹデータユニットが前記第２ＰＨＹモードに従って送信される場合に、前記第２プリアンブル部および前記データ部における複数のＯＦＤＭシンボルが第２トーンインターバルを有し、前記第２トーンインターバルは、前記第１トーンインターバルと異なる、請求項１２から２０の何れか一項に記載の通信デバイス。
【請求項２２】
前記第２トーンインターバルは、前記第１トーンインターバルより小さい、請求項２１に記載の通信デバイス。
【手続補正２】
【補正対象書類名】明細書
【補正対象項目名】０２７０
【補正方法】変更
【補正の内容】
【０２７０】
本発明が単に例示的なもので本発明を限定するものではない複数の具体的な例に関連して説明されている一方、複数の変更、追加、及び／又は削除は、本発明の範囲から逸脱せずに、開示されている複数の実施形態に対して行われてよい。
本願によれば以下の各項目に記載の形態もまた開示される。
［項目１］
無線通信プロトコルに従う送信用の物理層データユニット（ＰＨＹデータユニット）を生成する方法であって、前記無線通信プロトコルは、第１ＰＨＹモードと第２ＰＨＹモードとを有し、前記方法は、
第１クロックレートに従って前記ＰＨＹデータユニットの第１プリアンブル部を生成する段階であって、前記第１プリアンブル部は、前記ＰＨＹデータユニットが前記第１ＰＨＹモードに従って送信される場合に、前記第１ＰＨＹモードに従ってフォーマットされ、前記第１プリアンブル部は、前記ＰＨＹデータユニットが前記第２ＰＨＹモードに従って送信される場合に、前記第２ＰＨＹモードに従ってフォーマットされる、段階と、
前記ＰＨＹデータユニットのＯＦＤＭ部を生成する段階であって、前記ＯＦＤＭ部は、前記第１プリアンブル部に続き、１つ又は複数のロング・トレーニング・フィールドを含む第２プリアンブル部を有し、前記ＰＨＹデータユニットが第１ＰＨＹモードに従って送信される場合に、前記第１クロックレートでクロックされ、前記ＰＨＹデータユニットが第２ＰＨＹモードに従って送信される場合に、前記第１クロックレートと異なる第２クロックレートでクロックされる、段階と
を備える
方法。
［項目２］
前記第１プリアンブル部を生成する段階は、前記ＰＨＹデータユニットが前記第１ＰＨＹモード又は前記第２ＰＨＹモードに従って生成されるかを示す前記第１プリアンブル部におけるパイロットトーンのセットを生成する段階を含む、項目１に記載の方法。
［項目３］
前記ＰＨＹデータユニットが前記第２ＰＨＹモードに従って送信される場合に、前記第１ＰＨＹモードと比較して、前記パイロットトーンのセットにおける少なくともいくつかのパイロットトーンの複数の信号が、フリップされる、項目２に記載の方法。
［項目４］
前記第１プリアンブル部を生成する段階は、前記ＰＨＹデータユニットが前記第１ＰＨＹモード又は前記第２ＰＨＹモードに従って生成されるかを示す情報を含むフィールドを有する前記第１プリアンブル部を生成する段階を含む、項目１から３の何れか一項に記載の方法。
［項目５］
前記ＰＨＹデータユニットが前記第１ＰＨＹモード又は前記第２ＰＨＹモードに従って生成されるかを示す情報を含む前記フィールドは、１）前記第１プリアンブル部におけるレガシ部の後に、かつ、２）前記第１プリアンブル部におけるショート・トレーニング・フィールドの前に生じる信号フィールドである、項目４に記載の方法。
［項目６］
前記第２クロックレートは、前記第１クロックレートより低い、項目１から５の何れか一項に記載の方法。
［項目７］
前記第２クロックレートは、前記第１クロックレートの分数である、項目６に記載の方法。
［項目８］
前記第２クロックレートは、前記第１クロックレートの１／４である、項目７に記載の方法。
［項目９］
前記第２クロックレートは、前記第１クロックレートより速い、項目１から５の何れか一項に記載の方法。
［項目１０］
前記ＯＦＤＭ部が生成され、これにより、前記ＰＨＹデータユニットが前記第１ＰＨＹモードに従って送信される場合に、前記ＯＦＤＭ部における複数のＯＦＤＭシンボルが第１持続時間を有し、前記ＰＨＹデータユニットが前記第２ＰＨＹモードに従って送信される場合に、前記ＯＦＤＭ部における複数のＯＦＤＭシンボルが第２持続時間を有し、前記第２持続時間は、前記第１持続時間と異なる、項目１から９の何れか一項に記載の方法。
［項目１１］
前記第２持続時間は、前記第１持続時間より長い、項目１０に記載の方法。
［項目１２］
前記ＯＦＤＭ部が生成され、これにより、前記ＰＨＹデータユニットが前記第１ＰＨＹモードに従って送信される場合に、前記ＯＦＤＭ部における複数のＯＦＤＭシンボルが第１トーンインターバルを有し、前記ＰＨＹデータユニットが前記第２ＰＨＹモードに従って送信される場合に、前記ＯＦＤＭ部における複数のＯＦＤＭシンボルが第２トーンインターバルを有し、前記第２トーンインターバルは、前記第１トーンインターバルと異なる、項目１から１１の何れか一項に記載の方法。
［項目１３］
前記第２トーンインターバルは、前記第１トーンインターバルより小さい、項目１２に記載の方法。
［項目１４］
１つ又は複数の集積回路を有するネットワークインタフェースを備える通信デバイスであって、
前記１つ又は複数の集積回路は、
第１クロックレートに従って、第１ＰＨＹモードと第２ＰＨＹモードとを有する無線通信プロトコルに従う送信用の物理層データユニット（ＰＨＹデータユニット）の第１プリアンブル部を生成し、
前記ＰＨＹデータユニットのＯＦＤＭ部を生成し、
前記第１プリアンブル部は、前記ＰＨＹデータユニットが前記第１ＰＨＹモードに従って送信される場合に、前記第１ＰＨＹモードに従ってフォーマットされ、
前記第１プリアンブル部は、前記ＰＨＹデータユニットが前記第２ＰＨＹモードに従って送信される場合に、前記第２ＰＨＹモードに従ってフォーマットされ、
前記ＯＦＤＭ部は、
前記第１プリアンブル部に続き、
１つ又は複数のロング・トレーニング・フィールドを含む第２プリアンブル部を有し、
前記ＰＨＹデータユニットが、第１ＰＨＹモードに従って送信される場合に、前記第１クロックレートでクロックされ、
前記ＰＨＹデータユニットが第２ＰＨＹモードに従って送信される場合に、前記第１クロックレートと異なる第２クロックレートでクロックされる、
通信デバイス。
［項目１５］
前記１つ又は複数の集積回路は、前記ＰＨＹデータユニットが前記第１ＰＨＹモード又は前記第２ＰＨＹモードに従って生成されるかを示す、前記第１プリアンブル部におけるパイロットトーンのセットを生成する、項目１４に記載の通信デバイス。
［項目１６］
前記ＰＨＹデータユニットが前記第２ＰＨＹモードに従って送信される場合に、前記第１ＰＨＹモードと比較して、前記パイロットトーンのセットにおける少なくともいくつかのパイロットトーンの複数の信号が、フリップされる、項目１５に記載の通信デバイス。
［項目１７］
前記１つ又は複数の集積回路は、前記ＰＨＹデータユニットが前記第１ＰＨＹモード又は前記第２ＰＨＹモードに従って生成されるかを示す情報を含むフィールドを有する前記第１プリアンブル部を生成する、項目１４から１６の何れか一項に記載の通信デバイス。
［項目１８］
前記ＰＨＹデータユニットが前記第１ＰＨＹモード又は前記第２ＰＨＹモードに従って生成されるかを示す情報を含む前記フィールドは、１）前記第１プリアンブル部におけるレガシ部の後に、かつ、２）前記第１プリアンブル部におけるショート・トレーニング・フィールドの前に生じる信号フィールドである、項目１７に記載の通信デバイス。
［項目１９］
前記第２クロックレートは、前記第１クロックレートより低い、項目１４から１８の何れか一項に記載の通信デバイス。
［項目２０］
前記第２クロックレートは、前記第１クロックレートの分数である、項目１９に記載の通信デバイス。
［項目２１］
前記第２クロックレートは、前記第１クロックレートの１／４である、項目２０に記載の通信デバイス。
［項目２２］
前記第２クロックレートは、前記第１クロックレートより速い、項目１４から１９の何れか一項に記載の通信デバイス。
［項目２３］
前記１つ又は複数の集積回路は、前記ＯＦＤＭ部を生成し、これにより、前記ＰＨＹデータユニットが前記第１ＰＨＹモードに従って送信される場合に、前記ＯＦＤＭ部における複数のＯＦＤＭシンボルが第１持続時間を有し、前記ＰＨＹデータユニットが前記第２ＰＨＹモードに従って送信される場合に、前記ＯＦＤＭ部における複数のＯＦＤＭシンボルが第２持続時間を有し、前記第２持続時間は、前記第１持続時間と異なる、項目１４から２２の何れか一項に記載の通信デバイス。
［項目２４］
前記第２持続時間は、前記第１持続時間より長い、項目２３に記載の通信デバイス。
［項目２５］
前記１つ又は複数の集積回路は、前記ＯＦＤＭ部を生成し、これにより、前記ＰＨＹデータユニットが前記第１ＰＨＹモードに従って送信される場合に、前記ＯＦＤＭ部における複数のＯＦＤＭシンボルが第１トーンインターバルを有し、前記ＰＨＹデータユニットが前記第２ＰＨＹモードに従って送信される場合に、前記ＯＦＤＭ部における複数のＯＦＤＭシンボルが第２トーンインターバルを有し、前記第２トーンインターバルは、前記第１トーンインターバルと異なる、項目１４から２４の何れか一項に記載の通信デバイス。
［項目２６］
前記第２トーンインターバルは、前記第１トーンインターバルより小さい、項目２５に記載の通信デバイス。